【手続補正書】
【提出日】平成16年8月23日(2004.8.23)
【手続補正１】
【補正対象書類名】明細書
【補正対象項目名】特許請求の範囲
【補正方法】変更
【補正の内容】
【特許請求の範囲】
【請求項１】
行列状に配置された複数の光電変換素子と、前記光電変換素子に蓄積された信号電荷を読み出して行方向に転送する垂直転送部と、前記垂直転送部から転送されてきた信号電荷を列方向に転送する水平転送部と、前記水平転送部から転送されてきた信号電荷を信号電圧または電流に変換して出力する信号電荷検出出力部とを備えた固体撮像装置の駆動方法であって、
前記光電変換素子に所定蓄積時間の電荷蓄積をした後、
前記光電変換素子の信号電荷を読み出して前記垂直転送部および水平転送部を介して前記信号電荷検出出力部から出力し、
前記光電変換素子に前記蓄積時間と同じ時間の電荷蓄積をした後、
前記光電変換素子の信号電荷を読み出すことなく前記垂直転送部に存在する不要電荷を前記垂直転送部および水平転送部を介して前記信号電荷検出出力部から出力することを特徴とする固体撮像装置の駆動方法。
【請求項２】
行列状に配置された複数の光電変換素子と、前記光電変換素子に蓄積された信号電荷を読み出して行方向に転送する垂直転送部と、前記垂直転送部から転送されてきた信号電荷を列方向に転送する水平転送部と、前記水平転送部から転送されてきた信号電荷を信号電圧または電流に変換して出力する信号電荷検出出力部とを備えた固体撮像装置の駆動方法であって、
前記光電変換素子に所定露光期間の露光をして電荷蓄積した後、
前記光電変換素子の信号電荷を読み出して前記垂直転送部および水平転送部を介して前記信号電荷検出出力部から出力し、
前記光電変換素子に前記露光期間と同じ時間の露光をして電荷蓄積した後、
前記光電変換素子の信号電荷を読み出すことなく前記垂直転送部に存在する不要電荷を前記垂直転送部および水平転送部を介して前記信号電荷検出出力部から出力することを特徴とする固体撮像装置の駆動方法。
【請求項３】
行列状に配置された複数の光電変換素子と、前記光電変換素子に蓄積された信号電荷を読み出して行方向に転送する垂直転送部と、前記垂直転送部から転送されてきた信号電荷を列方向に転送する水平転送部と、前記水平転送部から転送されてきた信号電荷を信号電圧または電流に変換して出力する信号電荷検出出力部とを備えた固体撮像装置の駆動方法であって、
露光期間において電子シャッタとレンズクローズにより設定される電荷蓄積時間の露光を行った後、
偶数フィールドとともにフレームを構成する奇数フィールドに対応する行の前記光電変換素子の信号電荷を読み出して前記垂直転送部および水平転送部を介して前記信号電荷検出出力部から出力する第１のフィールド期間と、
前記偶数フィールドに対応する行の前記光電変換素子の信号電荷を読み出して前記垂直転送部および水平転送部を介して前記信号電荷検出出力部から出力する第２のフィールド期間と、
前記露光期間と同じ電荷蓄積時間の露光を行う第３のフィールド期間と、
前記光電変換素子の信号電荷を読み出すことなく前記第３のフィールド期間後に前記垂直転送部に存在する不要電荷を前記垂直転送部および水平転送部を介して前記信号電荷検出出力部から出力する第４のフィールド期間および第５のフィールド期間とを有することを特徴とする固体撮像装置の駆動方法。
【請求項４】
行列状に配置された複数の光電変換素子と、前記光電変換素子に蓄積された信号電荷を読み出して行方向に転送する垂直転送部と、前記垂直転送部から転送されてきた信号電荷を列方向に転送する水平転送部と、前記水平転送部から転送されてきた信号電荷を信号電圧または電流に変換して出力する信号電荷検出出力部とを備えた固体撮像装置の駆動方法であって、
露光期間において電子シャッタとレンズクローズにより設定される電荷蓄積時間の露光を行った後、
前記光電変換素子の信号電荷を読み出すことなく前記垂直転送部に存在する不要電荷を前記垂直転送部および水平転送部を介して前記信号電荷検出出力部から出力する第１のフィールド期間および第２のフィールド期間と、
前記露光期間と同じ電荷蓄積時間の露光を行う第３のフィールド期間と、
偶数フィールドとともにフレームを構成する奇数フィールドに対応する行の前記光電変換素子の信号電荷を読み出して前記垂直転送部および水平転送部を介して前記信号電荷検出出力部から出力する第４のフィールド期間と、
前記偶数フィールドに対応する行の前記光電変換素子の信号電荷を読み出して前記垂直転送部および水平転送部を介して前記信号電荷検出出力部から出力する第５のフィールド期間とを有することを特徴とする固体撮像装置の駆動方法。
【請求項５】
第３のフィールド期間内においても垂直転送部に存在する不要電荷を前記垂直転送部および水平転送部を介して信号電荷検出出力部から出力することを特徴とする請求項３または４記載の固体撮像装置の駆動方法。
【請求項６】
第２のフィールド期間と第３のフィールド期間との間に、垂直転送部に存在する不要電荷を前記垂直転送部および水平転送部を介して信号電荷検出出力部から出力するフィールド期間を設けることを特徴とする請求項３，４または５記載の固体撮像装置の駆動方法。
【請求項７】
行列状に配置された複数の光電変換素子と、前記光電変換素子に蓄積された信号電荷を読み出して行方向に転送する垂直転送部と、前記垂直転送部から転送されてきた信号電荷を列方向に転送する水平転送部と、前記水平転送部から転送されてきた信号電荷を信号電圧または電流に変換して出力する信号電荷検出出力部とを有し、露光期間において電子シャッタとレンズクローズにより設定される電荷蓄積時間の露光を行った後、第１のフィールド期間において偶数フィールドとともにフレームを構成する奇数フィールドに対応する行の前記光電変換素子の信号電荷を読み出して前記垂直転送部および水平転送部を介して前記信号電荷検出出力部から出力し、第２のフィールド期間において前記偶数フィールドに対応する行の前記光電変換素子の信号電荷を読み出して前記垂直転送部および水平転送部を介して前記信号電荷検出出力部から出力し、第３のフィールド期間において前記露光期間と同じ電荷蓄積時間の露光を行い、前記第３のフィールド期間後の第４のフィールド期間および第５のフィールド期間において前記光電変換素子の信号電荷を読み出すことなく前記垂直転送部に存在する不要電荷を前記垂直転送部および水平転送部を介して前記信号電荷検出出力部から出力するようにした固体撮像装置と、
前記第１のフィールド期間における前記固体撮像装置の出力信号と前記第４のフィールド期間における前記固体撮像装置の出力信号との差分を算出することで奇数フィールドの信号を求め、前記第２のフィールド期間における前記固体撮像装置の出力信号と前記第５のフィールド期間における前記固体撮像装置の出力信号との差分を算出することで偶数フィールドの信号を求め、前記奇数フィールドの信号と前記偶数フィールドの信号とを合成して１フレームの画像信号を求める信号処理回路とを備えたカメラ。
【請求項８】
行列状に配置された複数の光電変換素子と、前記光電変換素子に蓄積された信号電荷を読み出して行方向に転送する垂直転送部と、前記垂直転送部から転送されてきた信号電荷を列方向に転送する水平転送部と、前記水平転送部から転送されてきた信号電荷を信号電圧または電流に変換して出力する信号電荷検出出力部とを有し、露光期間において電子シャッタとレンズクローズにより設定される電荷蓄積時間の露光を行った後、第１のフィールド期間および第２のフィールド期間において前記光電変換素子の信号電荷を読み出すことなく前記垂直転送部に存在する不要電荷を前記垂直転送部および水平転送部を介して前記信号電荷検出出力部から出力し、第３のフィールド期間において前記露光期間と同じ電荷蓄積時間の露光を行う第３のフィールド期間と、第４のフィールド期間において偶数フィールドとともにフレームを構成する奇数フィールドに対応する行の前記光電変換素子の信号電荷を読み出して前記垂直転送部および水平転送部を介して前記信号電荷検出出力部から出力し、第５のフィールド期間において前記偶数フィールドに対応する行の前記光電変換素子の信号電荷を読み出して前記垂直転送部および水平転送部を介して前記信号電荷検出出力部から出力するようにした固体撮像装置と、
前記第１のフィールド期間における前記固体撮像装置の出力信号と前記第４のフィールド期間における前記固体撮像装置の出力信号との差分を算出することで奇数フィールドの信号を求め、前記第２のフィールド期間における前記固体撮像装置の出力信号と前記第５のフィールド期間における前記固体撮像装置の出力信号との差分を算出することで偶数フィールドの信号を求め、前記奇数フィールドの信号と前記偶数フィールドの信号とを合成して１フレームの画像信号を求める信号処理回路とを備えたカメラ。
【請求項９】
固体撮像装置は、第３のフィールド期間内においても垂直転送部に存在する不要電荷を前記垂直転送部および水平転送部を介して信号電荷検出出力部から出力するようにしたことを特徴とする請求項７または８記載のカメラ。
【請求項１０】
固体撮像装置は、第２のフィールド期間と第３のフィールド期間との間に、垂直転送部に存在する不要電荷を前記垂直転送部および水平転送部を介して信号電荷検出出力部から出力するフィールド期間を設けたことを特徴とする請求項７，８または９記載のカメラ。
【手続補正２】
【補正対象書類名】明細書
【補正対象項目名】００２９
【補正方法】変更
【補正の内容】
【００２９】
【課題を解決するための手段】
本発明の請求項１記載の固体撮像装置の駆動方法は、行列状に配置された複数の光電変換素子と、光電変換素子に蓄積された信号電荷を読み出して行方向に転送する垂直転送部と、垂直転送部から転送されてきた信号電荷を列方向に転送する水平転送部と、水平転送部から転送されてきた信号電荷を信号電圧または電流に変換して出力する信号電荷検出出力部とを備えた固体撮像装置の駆動方法であって、光電変換素子に所定蓄積時間の電荷蓄積をした後、光電変換素子の信号電荷を読み出して垂直転送部および水平転送部を介して信号電荷検出出力部から出力し、光電変換素子に蓄積時間と同じ時間の電荷蓄積をした後、光電変換素子の信号電荷を読み出すことなく垂直転送部に存在する不要電荷を垂直転送部および水平転送部を介して信号電荷検出出力部から出力することを特徴とする。
本発明の請求項２記載の固体撮像装置の駆動方法は、行列状に配置された複数の光電変換素子と、光電変換素子に蓄積された信号電荷を読み出して行方向に転送する垂直転送部と、垂直転送部から転送されてきた信号電荷を列方向に転送する水平転送部と、水平転送部から転送されてきた信号電荷を信号電圧または電流に変換して出力する信号電荷検出出力部とを備えた固体撮像装置の駆動方法であって、光電変換素子に所定露光期間の露光をして電荷蓄積した後、光電変換素子の信号電荷を読み出して垂直転送部および水平転送部を介して信号電荷検出出力部から出力し、光電変換素子に露光期間と同じ時間の露光をして電荷蓄積した後、光電変換素子の信号電荷を読み出すことなく垂直転送部に存在する不要電荷を垂直転送部および水平転送部を介して信号電荷検出出力部から出力することを特徴とする。
本発明の請求項３記載の固体撮像装置の駆動方法は、行列状に配置された複数の光電変換素子と、光電変換素子に蓄積された信号電荷を読み出して行方向に転送する垂直転送部と、垂直転送部から転送されてきた信号電荷を列方向に転送する水平転送部と、水平転送部から転送されてきた信号電荷を信号電圧または電流に変換して出力する信号電荷検出出力部とを備えた固体撮像装置の駆動方法であって、露光期間において電子シャッタとレンズクローズにより設定される電荷蓄積時間の露光を行った後、偶数フィールドとともにフレームを構成する奇数フィールドに対応する行の光電変換素子の信号電荷を読み出して垂直転送部および水平転送部を介して信号電荷検出出力部から出力する第１のフィールド期間と、偶数フィールドに対応する行の光電変換素子の信号電荷を読み出して垂直転送部および水平転送部を介して信号電荷検出出力部から出力する第２のフィールド期間と、露光期間と同じ電荷蓄積時間の露光を行う第３のフィールド期間と、光電変換素子の信号電荷を読み出すことなく第３のフィールド期間後に垂直転送部に存在する不要電荷を垂直転送部および水平転送部を介して信号電荷検出出力部から出力する第４のフィールド期間および第５のフィールド期間とを有することを特徴とする。
【手続補正３】
【補正対象書類名】明細書
【補正対象項目名】００３０
【補正方法】変更
【補正の内容】
【００３０】
この請求項３記載の駆動方法によれば、従来のように光電変換素子の信号電荷の読み出し前に高速垂直転送により垂直転送部に存在する不要電荷の水平転送部への掃き出しを行わないため、光電変換素子の飽和信号を低下させることがない。第１のフィールド期間では奇数フィールドに対応する行の光電変換素子の信号電荷と垂直転送部に存在する不要電荷とが合わせて出力され、第４のフィールド期間では奇数フィールドに対応する行の光電変換素子の信号電荷は出力されず垂直転送部に存在する不要電荷が出力されるため、第１のフィールド期間における固体撮像装置の出力信号と第４のフィールド期間における固体撮像装置の出力信号との差分を算出することで、垂直転送部の不要電荷を除去した奇数フィールドの信号を求めることができる。また、第２のフィールド期間では偶数フィールドに対応する行の光電変換素子の信号電荷と垂直転送部に存在する不要電荷とが合わせて出力され、第５のフィールド期間では偶数フィールドに対応する行の光電変換素子の信号電荷は出力されず垂直転送部に存在する不要電荷が出力されるため、第２のフィールド期間における固体撮像装置の出力信号と第５のフィールド期間における固体撮像装置の出力信号との差分を算出することで、垂直転送部の不要電荷を除去した偶数フィールドの信号を求めることができる。これらの奇数フィールドの信号と偶数フィールドの信号とを合成して１フレームの画像信号を求めることで、高ＳＮで高品質な画像を得ることができる。
【手続補正４】
【補正対象書類名】明細書
【補正対象項目名】００３１
【補正方法】変更
【補正の内容】
【００３１】
本発明の請求項４記載の固体撮像装置の駆動方法は、行列状に配置された複数の光電変換素子と、光電変換素子に蓄積された信号電荷を読み出して行方向に転送する垂直転送部と、垂直転送部から転送されてきた信号電荷を列方向に転送する水平転送部と、水平転送部から転送されてきた信号電荷を信号電圧または電流に変換して出力する信号電荷検出出力部とを備えた固体撮像装置の駆動方法であって、露光期間において電子シャッタとレンズクローズにより設定される電荷蓄積時間の露光を行った後、光電変換素子の信号電荷を読み出すことなく垂直転送部に存在する不要電荷を垂直転送部および水平転送部を介して信号電荷検出出力部から出力する第１のフィールド期間および第２のフィールド期間と、露光期間と同じ電荷蓄積時間の露光を行う第３のフィールド期間と、偶数フィールドとともにフレームを構成する奇数フィールドに対応する行の光電変換素子の信号電荷を読み出して垂直転送部および水平転送部を介して信号電荷検出出力部から出力する第４のフィールド期間と、偶数フィールドに対応する行の光電変換素子の信号電荷を読み出して垂直転送部および水平転送部を介して信号電荷検出出力部から出力する第５のフィールド期間とを有することを特徴とする。
【手続補正５】
【補正対象書類名】明細書
【補正対象項目名】００３２
【補正方法】変更
【補正の内容】
【００３２】
この請求項４記載の駆動方法によれば、従来のように光電変換素子の信号電荷の読み出し前に高速垂直転送により垂直転送部に存在する不要電荷の水平転送部への掃き出しを行わないため、光電変換素子の飽和信号を低下させることがない。第１のフィールド期間では奇数フィールドに対応する行の光電変換素子の信号電荷は出力されず垂直転送部に存在する不要電荷が出力され、第４のフィールド期間では奇数フィールドに対応する行の光電変換素子の信号電荷と垂直転送部に存在する不要電荷とが合わせて出力されるため、第１のフィールド期間における固体撮像装置の出力信号と第４のフィールド期間における固体撮像装置の出力信号との差分を算出することで、垂直転送部の不要電荷を除去した奇数フィールドの信号を求めることができる。また、第２のフィールド期間では偶数フィールドに対応する行の光電変換素子の信号電荷は出力されず垂直転送部に存在する不要電荷が出力され、第５のフィールド期間では偶数フィールドに対応する行の光電変換素子の信号電荷と垂直転送部に存在する不要電荷とが合わせて出力されるため、第２のフィールド期間における固体撮像装置の出力信号と第５のフィールド期間における固体撮像装置の出力信号との差分を算出することで、垂直転送部の不要電荷を除去した偶数フィールドの信号を求めることができる。これらの奇数フィールドの信号と偶数フィールドの信号とを合成して１フレームの画像信号を求めることで、高ＳＮで高品質な画像を得ることができる。
【手続補正６】
【補正対象書類名】明細書
【補正対象項目名】００３３
【補正方法】変更
【補正の内容】
【００３３】
本発明の請求項５記載の固体撮像装置の駆動方法は、請求項１または２記載の固体撮像装置の駆動方法において、第３のフィールド期間内においても垂直転送部に存在する不要電荷を垂直転送部および水平転送部を介して信号電荷検出出力部から出力することを特徴とする。
【手続補正７】
【補正対象書類名】明細書
【補正対象項目名】００３４
【補正方法】変更
【補正の内容】
【００３４】
この請求項５記載の駆動方法のように、露光を行う第３のフィールド期間においても、垂直転送部に存在する不要電荷を出力することで、より高ＳＮでより高品質な画像を得ることができる。
【手続補正８】
【補正対象書類名】明細書
【補正対象項目名】００３５
【補正方法】変更
【補正の内容】
【００３５】
本発明の請求項６記載の固体撮像装置の駆動方法は、請求項１，２または３記載の固体撮像装置の駆動方法において、第２のフィールド期間と第３のフィールド期間との間に、垂直転送部に存在する不要電荷を垂直転送部および水平転送部を介して信号電荷検出出力部から出力するフィールド期間を設けることを特徴とする。
【手続補正９】
【補正対象書類名】明細書
【補正対象項目名】００３６
【補正方法】変更
【補正の内容】
【００３６】
この請求項６記載の駆動方法のように、第２のフィールド期間と第３のフィールド期間との間にさらにフィールド期間を設けて、垂直転送部に存在する不要電荷を出力することで、より高ＳＮでより高品質な画像を得ることができる。
【手続補正１０】
【補正対象書類名】明細書
【補正対象項目名】００３７
【補正方法】変更
【補正の内容】
【００３７】
本発明の請求項７記載のカメラは、行列状に配置された複数の光電変換素子と、光電変換素子に蓄積された信号電荷を読み出して行方向に転送する垂直転送部と、垂直転送部から転送されてきた信号電荷を列方向に転送する水平転送部と、水平転送部から転送されてきた信号電荷を信号電圧または電流に変換して出力する信号電荷検出出力部とを有し、露光期間において電子シャッタとレンズクローズにより設定される電荷蓄積時間の露光を行った後、第１のフィールド期間において偶数フィールドとともにフレームを構成する奇数フィールドに対応する行の光電変換素子の信号電荷を読み出して垂直転送部および水平転送部を介して信号電荷検出出力部から出力し、第２のフィールド期間において偶数フィールドに対応する行の光電変換素子の信号電荷を読み出して垂直転送部および水平転送部を介して信号電荷検出出力部から出力し、第３のフィールド期間において露光期間と同じ電荷蓄積時間の露光を行い、第３のフィールド期間後の第４のフィールド期間および第５のフィールド期間において光電変換素子の信号電荷を読み出すことなく垂直転送部に存在する不要電荷を垂直転送部および水平転送部を介して信号電荷検出出力部から出力するようにした固体撮像装置と、第１のフィールド期間における固体撮像装置の出力信号と第４のフィールド期間における固体撮像装置の出力信号との差分を算出することで奇数フィールドの信号を求め、第２のフィールド期間における固体撮像装置の出力信号と第５のフィールド期間における固体撮像装置の出力信号との差分を算出することで偶数フィールドの信号を求め、奇数フィールドの信号と偶数フィールドの信号とを合成して１フレームの画像信号を求める信号処理回路とを備えている。
【手続補正１１】
【補正対象書類名】明細書
【補正対象項目名】００３８
【補正方法】変更
【補正の内容】
【００３８】
この請求項７記載の構成によれば、上記請求項１の場合における説明と同様、光電変換素子の飽和信号を低下させることがない。そして、第１のフィールド期間における固体撮像装置の出力信号と第４のフィールド期間における固体撮像装置の出力信号との差分を算出することで、垂直転送部の不要電荷を除去した奇数フィールドの信号を求めることができる。また、第２のフィールド期間における固体撮像装置の出力信号と第５のフィールド期間における固体撮像装置の出力信号との差分を算出することで、垂直転送部の不要電荷を除去した偶数フィールドの信号を求めることができる。これらの奇数フィールドの信号と偶数フィールドの信号とを合成して１フレームの画像信号を求めることで、高ＳＮで高品質な画像を得ることができる。
【手続補正１２】
【補正対象書類名】明細書
【補正対象項目名】００３９
【補正方法】変更
【補正の内容】
【００３９】
本発明の請求項８記載のカメラは、行列状に配置された複数の光電変換素子と、光電変換素子に蓄積された信号電荷を読み出して行方向に転送する垂直転送部と、垂直転送部から転送されてきた信号電荷を列方向に転送する水平転送部と、水平転送部から転送されてきた信号電荷を信号電圧または電流に変換して出力する信号電荷検出出力部とを有し、露光期間において電子シャッタとレンズクローズにより設定される電荷蓄積時間の露光を行った後、第１のフィールド期間および第２のフィールド期間において光電変換素子の信号電荷を読み出すことなく垂直転送部に存在する不要電荷を垂直転送部および水平転送部を介して信号電荷検出出力部から出力し、第３のフィールド期間において露光期間と同じ電荷蓄積時間の露光を行う第３のフィールド期間と、第４のフィールド期間において偶数フィールドとともにフレームを構成する奇数フィールドに対応する行の光電変換素子の信号電荷を読み出して垂直転送部および水平転送部を介して信号電荷検出出力部から出力し、第５のフィールド期間において偶数フィールドに対応する行の光電変換素子の信号電荷を読み出して垂直転送部および水平転送部を介して信号電荷検出出力部から出力するようにした固体撮像装置と、第１のフィールド期間における固体撮像装置の出力信号と第４のフィールド期間における固体撮像装置の出力信号との差分を算出することで奇数フィールドの信号を求め、第２のフィールド期間における固体撮像装置の出力信号と第５のフィールド期間における固体撮像装置の出力信号との差分を算出することで偶数フィールドの信号を求め、奇数フィールドの信号と偶数フィールドの信号とを合成して１フレームの画像信号を求める信号処理回路とを備えている。
【手続補正１３】
【補正対象書類名】明細書
【補正対象項目名】００４０
【補正方法】変更
【補正の内容】
【００４０】
この請求項８記載の構成によれば、上記請求項２の場合における説明と同様、光電変換素子の飽和信号を低下させることがない。そして、第１のフィールド期間における固体撮像装置の出力信号と第４のフィールド期間における固体撮像装置の出力信号との差分を算出することで、垂直転送部の不要電荷を除去した奇数フィールドの信号を求めることができる。また、第２のフィールド期間における固体撮像装置の出力信号と第５のフィールド期間における固体撮像装置の出力信号との差分を算出することで、垂直転送部の不要電荷を除去した偶数フィールドの信号を求めることができる。これらの奇数フィールドの信号と偶数フィールドの信号とを合成して１フレームの画像信号を求めることで、高ＳＮで高品質な画像を得ることができる。
【手続補正１４】
【補正対象書類名】明細書
【補正対象項目名】００４１
【補正方法】変更
【補正の内容】
【００４１】
本発明の請求項９記載のカメラは、請求項５または６記載のカメラにおいて、固体撮像装置は、第３のフィールド期間内においても垂直転送部に存在する不要電荷を垂直転送部および水平転送部を介して信号電荷検出出力部から出力するようにしたことを特徴とする。
【手続補正１５】
【補正対象書類名】明細書
【補正対象項目名】００４２
【補正方法】変更
【補正の内容】
【００４２】
この請求項９記載の構成により、請求項３の場合と同様の効果が得られる。
【手続補正１６】
【補正対象書類名】明細書
【補正対象項目名】００４３
【補正方法】変更
【補正の内容】
【００４３】
本発明の請求項１０記載のカメラは、請求項５，６または７記載のカメラにおいて、固体撮像装置は、第２のフィールド期間と第３のフィールド期間との間に、垂直転送部に存在する不要電荷を垂直転送部および水平転送部を介して信号電荷検出出力部から出力するフィールド期間を設けたことを特徴とする。
【手続補正１７】
【補正対象書類名】明細書
【補正対象項目名】００４４
【補正方法】変更
【補正の内容】
【００４４】
この請求項１０記載の構成により、請求項４の場合と同様の効果が得られる。